(57)【要約】      （修正有）【課題】部品点数が少なくスライドファスナーの噛み合いを結合させることによる立体状から、噛み合いを解除させることによる平面状へと利用展開ができるスライドファスナーを提供する。【解決手段】平面状のシートの周縁にあって一条の噛み合い歯３を配列したファスナーテープ部２と、ファスナーテープ部２の一端に形成したスライダー挿入金具と、ファスナーテープ部２の他端に形成したスライダー抜け止め金具とを備えたスライドファスナーを三個用いてこれらの一条の噛み合い歯をＹ字状に噛み合わせて平面状のシートを立体状とする物品に用いる。【選択図】図６
0003159325.tif 000002
【実用新案登録請求の範囲】
【請求項１】
平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを三個用いてこれらの一条の噛み合い歯をＹ字状に噛み合わせて平面状のシートを立体状とする物品に用いるスライドファスナーであって、
一条の噛み合い歯３にファスナーテープ部の端から離れるに従ってファスナーを噛み合わせる向きに摺動自在に設けた噛み合い結合用スライダー６と、噛み合い結合用スライダー６と摺動方向に対向するように一条の噛み合い歯３に噛み合い結合用スライダー６とファスナーテープ部２の端の間にファスナーテープ部の端から離れるに従ってファスナーを解除する向きに摺動自在に設けた噛み合い解除用スライダー７とを三組構成して、
スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体がＹ字状に組み合わせて配置させてなることを特徴とするスライドファスナーを有する上下着であって、Ｙ字状の三組が前胸、右脚、左脚の部分にそれぞれ設けられていることを特徴とする上下着。
【請求項２】
平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを四個用いてこれらの一条の噛み合い歯をＸ字状に噛み合わせて平面状のシートを立体状とする物品に用いるスライドファスナーであって、
一条の噛み合い歯３にファスナーテープ部の端から離れるに従ってファスナーを噛み合わせる向きに摺動自在に設けた噛み合い結合用スライダー６と、噛み合い結合用スライダー６と摺動方向に対向するように一条の噛み合い歯３に噛み合い結合用スライダー６とファスナーテープ部２の端の間にファスナーテープ部の端から離れるに従ってファスナーを解除する向きに摺動自在に設けた噛み合い解除用スライダー７とを四組構成して、
スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体がＸ字状に組み合わせて配置させてなることを特徴とするスライドファスナーを有する上下着であって、Ｘ字状の四組が右腕、左腕、右脚、左脚の部分にそれぞれ設けられていることを特徴とする上下着。
【請求項３】
平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを五個用いてこれらの一条の噛み合い歯を交叉状に噛み合わせて平面状のシートを立体状とする物品に用いるスライドファスナーであって、
一条の噛み合い歯３にファスナーテープ部の端から離れるに従ってファスナーを噛み合わせる向きに摺動自在に設けた噛み合い結合用スライダー６と、噛み合い結合用スライダー６と摺動方向に対向するように一条の噛み合い歯３に噛み合い結合用スライダー６とファスナーテープ部２の端の間にファスナーテープ部の端から離れるに従ってファスナーを解除する向きに摺動自在に設けた噛み合い解除用スライダー７とを五組構成して、
スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体が交叉状に組み合わせて配置させてなることを特徴とするスライドファスナーを有する上下着であって、交叉状の五組が右腕、左腕、前胸、右脚、左脚の部分にそれぞれ設けられていることを特徴とする上下着。
【考案の詳細な説明】
【技術分野】
【０００１】本考案は袋、バッグ、ケース、衣服、テント、テーブルのカバーなどの物品に用いるスライドファスナーに関するものである。
【背景技術】
【０００２】スライドファスナーは袋、バッグ、ケース、衣服、テント、テーブルのカバーなどの物品の開口部に取り付けて、開口部を開閉するのに便利である。このようなスライドファスナーを用いて開口部を開くことにより袋、バッグまたは衣服を完全に平面状にしておくことができれば、折りたたんだりするのに便利であり、所謂、風呂敷状やシーツ状としてものを包んで収容または装着するのにも便利である。例えば、特許文献１に記載のように、寝たきりの人とか、病気、けが等にて入院し、体の動かせない人に着用したまま、点滴治療とか、身体のふき取りが簡単にできる半身全面オープン可能なパジャマとして、パジャマの表側部分の胸・腹と脚の部分とにそれぞれファスナーが結合点において閉じて結合点スタイルにて構成されている。この結合点でファスナーは結合するので、パジャマを着るのではなく纏うようにすることができる提案がされている。
【先行技術文献】
【特許文献】
【０００３】
【特許文献１】特開２００２−１２９４０９号公報
【考案の概要】
【考案が解決しようとする課題】
【０００４】しかし、上記特許文献１のようなスライドファスナーはパジャマの表側部分の胸・腹と脚の部分とにそれぞれファスナーが結合点において閉じて結合点スタイルにて構成されているので、ファスナーの数を多く必要とするという問題がある。【０００５】本考案は、上記問題点を解消し、部品点数が少なくスライドファスナーの噛み合いを結合させることによる立体状から、噛み合いを解除させることによる平面状へと利用展開ができるスライドファスナーを有する上下着を提供することを目的とする。
【課題を解決するための手段】
【０００６】請求項１記載のスライドファスナーを有する上下着は、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを三個用いてこれらの一条の噛み合い歯をＹ字状に噛み合わせて平面状のシートを立体状とする物品に用いるスライドファスナーであって、
一条の噛み合い歯３にファスナーテープ部の端から離れるに従ってファスナーを噛み合わせる向きに摺動自在に設けた噛み合い結合用スライダー６と、噛み合い結合用スライダー６と摺動方向に対向するように一条の噛み合い歯３に噛み合い結合用スライダー６とファスナーテープ部２の端の間にファスナーテープ部の端から離れるに従ってファスナーを解除する向きに摺動自在に設けた噛み合い解除用スライダー７とを三組構成して、
スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体がＹ字状に組み合わせて配置させてなることを特徴とするスライドファスナーを有する上下着であって、Ｙ字状の三組が前胸、右脚、左脚の部分にそれぞれ設けられていることを特徴とする。【０００７】請求項２記載のスライドファスナーを有する上下着は、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを四個用いてこれらの一条の噛み合い歯をＸ字状に噛み合わせて平面状のシートを立体状とする物品に用いるスライドファスナーであって、
一条の噛み合い歯３にファスナーテープ部の端から離れるに従ってファスナーを噛み合わせる向きに摺動自在に設けた噛み合い結合用スライダー６と、噛み合い結合用スライダー６と摺動方向に対向するように一条の噛み合い歯３に噛み合い結合用スライダー６とファスナーテープ部２の端の間にファスナーテープ部の端から離れるに従ってファスナーを解除する向きに摺動自在に設けた噛み合い解除用スライダー７とを四組構成して、
スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体がＸ字状に組み合わせて配置させてなることを特徴とするスライドファスナーを有する上下着であって、Ｘ字状の四組が右腕、左腕、右脚、左脚の部分にそれぞれ設けられていることを特徴とする。【０００８】請求項３記載のスライドファスナーを有する上下着は、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを五個用いてこれらの一条の噛み合い歯を交叉状に噛み合わせて平面状のシートを立体状とする物品に用いるスライドファスナーであって、
一条の噛み合い歯３にファスナーテープ部の端から離れるに従ってファスナーを噛み合わせる向きに摺動自在に設けた噛み合い結合用スライダー６と、噛み合い結合用スライダー６と摺動方向に対向するように一条の噛み合い歯３に噛み合い結合用スライダー６とファスナーテープ部２の端の間にファスナーテープ部の端から離れるに従ってファスナーを解除する向きに摺動自在に設けた噛み合い解除用スライダー７とを五組構成して、
スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体が交叉状に組み合わせて配置させてなることを特徴とするスライドファスナーを有する上下着であって、交叉状の五組が右腕、左腕、前胸、右脚、左脚の部分にそれぞれ設けられていることを特徴とする。
【考案の効果】
【０００９】本考案のスライドファスナーは、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを三個用いてこれらの一条の噛み合い歯をＹ字状に噛み合わせて平面状のシートを立体状とする物品に用いるスライドファスナーであって、一条の噛み合い歯３に摺動自在に設けた噛み合い結合用スライダー６と、噛み合い結合用スライダー６と摺動方向に対向するように一条の噛み合い歯３に摺動自在に設けた噛み合い解除用スライダー７とを三組構成して、スライドファスナーに隣接するスライドファスナーの噛み合い結合用スライダーおよび噛み合い解除用スライダーを各々共有するという構成なので、ファスナーの数を多く必要とせず、平面状のシートを立体状とする物品とすることができる。【００１０】また、本考案のスライドファスナーは、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを複数用いてこれらの一条の噛み合い歯を交叉条に噛み合わせて平面状のシートを立体状とする物品に用いるスライドファスナーであって、一条の噛み合い歯３に摺動自在に設けた噛み合い結合用スライダー６と、噛み合い結合用スライダー６と摺動方向に対向するように一条の噛み合い歯３に摺動自在に設けた噛み合い解除用スライダー７とをスライドファスナー相当数の複数組構成して、スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体が交叉条に組み合わせて配置させてなるので、一条の噛み合い歯３を有するスライドファスナー毎にスライダー挿入金具４とスライダー抜け止め金具５を設けるだけで、さらには、複数組み合わせて、部品点数を少なくして平面状のシートを立体状とするスライドファスナーとして幅広い利用ができる。
【図面の簡単な説明】
【００１１】
【図１】本考案の実施例１を示す平面図である。
【図２】本考案の実施例１を衣服の上着に利用した平面図である。
【図３】本考案の実施例２を示す平面図である。
【図４】本考案の実施例２をケースに利用するために平面状に展開した平面図である。
【図５】本考案の実施例２をケースに利用した斜視図である。
【図６】本考案の実施例３を示す平面図である。
【図７】本考案の実施例３を衣服の上下着に利用するために平面状にした平面図である。
【図８】本考案の実施例３を衣服の上下着に利用した平面図である。
【図９】本考案の実施例４を示す平面図である。
【図１０】本考案の実施例４を衣服の上下着に利用するために平面状にした平面図である。
【図１１】本考案の実施例４を衣服の上下着に利用した平面図である。
【図１２】本考案の実施例５を示す平面図である。
【図１３】本考案の実施例５を衣服の上下着に利用するために平面状にした平面図である。
【図１４】本考案の実施例５を衣服の上下着に利用した平面図である。
【図１５】本考案の実施例６を示す平面図である。
【図１６】本考案の実施例６をテーブルのカバーに利用するために平面状にした平面図である。
【図１７】本考案の実施例６をテーブルのカバーに利用した平面図である。
【図１８】本考案の実施例７を示す平面図である。
【図１９】本考案の実施例７の一部を示す斜視図である。
【図２０】本考案の実施例７の一部を示す平面図である。
【図２１】本考案の実施例７の一部を示す平面図である。
【図２２】本考案の実施例７をテントに利用した斜視図である。
【図２３】本考案の実施例８の一部を示す平面図である。
【図２４】本考案の実施例８の一部を示す平面図である。
【図２５】本考案の実施例８を吊り下げバッグに利用した斜視図である
【考案を実施するための形態】
【００１２】本考案の実施例形態について図面にもとづいて以下、説明する。ただし、以下の実施形態は本考案の例示に過ぎず本考案はこれに限定されない。
【実施例１】
【００１３】図１において、１はスライドファスナーで、平面状のシート（図示せず）の周縁に縫製して取り付けたファスナーテープ部２に一条の噛み合い歯３が直線状に配列されている。そのファスナーテープ部２の一端２Ａにはスライダー挿入金具４が形成されており、他端２Ｂにはスライダー抜け止め金具５を形成されている。この場合、スライダー挿入金具４およびスライダー抜け止め金具５は何れも長方形状で、スライダー抜け止め金具５には先端に膨張部が形成されている。一端２Ａのスライダー挿入金具４側には噛み合い結合用スライダー６が、また、他端２Ｂのスライダー抜け止め金具５側には噛み合い解除用スライダー７が互いに摺動方向に対向して設けられており、噛み合い結合用スライダー６および噛み合い解除用スライダー７が噛み合い歯３上を摺動自在にしている。この噛み合い結合用スライダー６および噛み合い解除用スライダー７は上記膨張部が形成されたスライダー抜け止め金具５によりファスナーテープ部２の他端２Ｂから外方へ脱落しないようにしている。【００１４】図２は平面状のシートを立体状とする物品として衣服の上着Ａを例としており、上着Ａの胸合わせ縁に上記スライドファスナー１を設けて、一条の噛み合い歯３を対面させるようループ状にしてスライダー挿入金具４を噛み合い結合用スライダー６および噛み合い解除用スライダー７に挿入して、噛み合い歯３を結合させることにより衣服の上着Ａのような立体状の物品となり、噛み合いを解除させることにより平面状のシートへと展開させる。
【実施例２】
【００１５】図３において、２個のスライドファスナー１およびスライドファスナー１１のそれぞれは、実施例１と同じ構成である。【００１６】スライドファスナー１は、平面状のシート（図示せず）の周縁に縫製して取り付けたファスナーテープ部２に一条の噛み合い歯３が直線状に配列されている。そのファスナーテープ部２の一端２Ａにはスライダー挿入金具４が形成されており、他端２Ｂにはスライダー抜け止め金具５を形成されている。この場合、スライダー挿入金具４およびスライダー抜け止め金具５は何れも長方形状で、スライダー抜け止め金具５には先端に膨張部が形成されており、実施例１と同様な作用をする。一端２Ａのスライダー挿入金具４側には噛み合い結合用スライダー６が、また、他端２Ｂのスライダー抜け止め金具５側には噛み合い解除用スライダー７が互いに摺動方向に対向させて設けられており、噛み合い結合用スライダー６および噛み合い解除用スライダー７が噛み合い歯３上を摺動自在にしている。【００１７】また、スライドファスナー１に隣接するスライドファスナー１１は、平面状のシート（図示せず）の周縁に縫製して取り付けたファスナーテープ部２１に一条の噛み合い歯３１が直線状に配列されている。そのファスナーテープ部２１の一端２１Ａにはスライダー挿入金具４１が形成されており、他端２１Ｂにはスライダー抜け止め金具５１が形成されている。この場合、スライダー挿入金具４１およびスライダー抜け止め金具５１は何れも長方形状で、スライダー抜け止め金具５１には先端に膨張部が形成されており、実施例１と同様な作用をする。一端２１Ａのスライダー挿入金具４１側には噛み合い結合用スライダー６１が、また、他端２１Ｂのスライダー抜け止め金具５１側には噛み合い解除用スライダー７１が互いに摺動方向に対向して設けられており、噛み合い結合用スライダー６１および噛み合い解除用スライダー７１が噛み合い歯３１上を摺動自在にしている。【００１８】スライドファスナー１およびスライドファスナー１１は上述の構成をしており、スライドファスナー１のスライダー挿入金具４とスライドファスナー１１のスライダー抜け止め金具５１とが並設されており、スライダー抜け止め金具５とスライダー挿入金具４１とが並設されている。すなわち、スライドファスナー１のスライダー挿入金具４およびスライダー抜け止め金具５がそれぞれスライドファスナー１１のスライダー抜け止め金具５１およびスライダー挿入金具４１と並設した状態で配置させている。また、スライドファスナー１の噛み合い歯３とスライドファスナー１１の噛み合い歯３１とを対面させて結合させることができるようにしている。その際、隣接するスライドファスナー１１の噛み合い結合用スライダー６１および噛み合い解除用スライダー７１を共有して、噛み合い結合用スライダー６、噛み合い解除用スライダー７、噛み合い結合用スライダー６１および噛み合い解除用スライダー７１が何れも噛み合い歯３および噛み合い歯３１上を摺動自在にしている。なお、後述する実施例３乃至実施例８においてもスライドファスナー１と隣接するスライドファスナー１１とは上記と同様な作用をする。【００１９】そこで、図３上記２個のスライドファスナー１およびスライドファスナー１１を用いて、図４に示すように正方形または長方形の６枚の平面状のシートＢ１、Ｂ２、Ｂ３、Ｂ４、Ｂ５およびＢ６から図５に示すように立体状とするケースＢとする実施例を説明する。
図４において、これら平面状のシートＢ１、Ｂ２、Ｂ３、Ｂ４、Ｂ５およびＢ６には各横方向および各縦方向の周縁にそれぞれスライドファスナー１およびスライドファスナー１１を縫製して取り付けてある。この場合、例えば、シートＢ１の一方の横方向の周縁（図４では上側）では噛み合い歯３上を摺動する噛み合い解除用スライダー７と噛み合い結合用スライダー６との配列が他方の横方向の周縁（図４では下側）では逆になっており、同様に一方の縦方向の周縁（図４では右側）では噛み合い歯３１上を摺動する噛み合い解除用スライダー７１と噛み合い結合用スライダー６１との配列が他方の縦方向の周縁（図４では左側）では逆になっている。シートＢ１の噛み合い歯３をシートＢ４のおよび噛み合い歯３１を対面させて、スライダー挿入金具４を噛み合い結合用スライダー６１および噛み合い解除用スライダー７１に挿入し、スライダー挿入金具４１を噛み合い結合用スライダー６および噛み合い解除用スライダー７に挿入し、噛み合い歯３と噛み合い歯３１を結合させ、以下、同様に噛み合い歯３と噛み合い歯３１を結合させることにより図５に示すケースＢのような立体状の物品ができる実施例である。この場合、ケースＢに代えてケースのカバーとしてもよい。
【実施例３】
【００２０】図６において、３個のスライドファスナー１、スライドファスナー１１およびスライドファスナー１２のそれぞれは、実施例１と同じ構成である。【００２１】衣服の上下着Ｃを平面状のシートとしてその周縁にスライドファスナー１、スライドファスナー１１およびスライドファスナー１２のそれぞれのファスナーテープ部２、ファスナーテープ部２１およびファスナーテープ部２２を縫製して全体がＹ字状に組み合わせている。【００２２】図７および図８において、Ｙ字状になって実施例２と同様に、隣接するスライドファスナー１、スライドファスナー１１およびスライドファスナー１２のそれぞれの噛み合い歯３、噛み合い歯３１および噛み合い歯３２を結合させて衣服の上下着Ｃのような立体状の物品ができる。
具体的には、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを三個用いてこれらの一条の噛み合い歯をＹ字状に噛み合わせて平面状のシートを立体状とする物品に用いるスライドファスナーであって、一条の噛み合い歯３に摺動自在に設けた噛み合い結合用スライダー６と、噛み合い結合用スライダー６と摺動方向に対向するように一条の噛み合い歯３に摺動自在に設けた噛み合い解除用スライダー７とを三組構成して、スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体がＹ字状に組み合わせて配置させてなる。
【実施例４】
【００２３】図９において、４個で構成されたスライドファスナー１、スライドファスナー１１、スライドファスナー１２およびスライドファスナー１３のそれぞれは、実施例１と同じ構成である。【００２４】衣服の上下着Ｄを平面状のシートとしてその周縁にスライドファスナー１、スライドファスナー１１、スライドファスナー１２およびスライドファスナー１３のそれぞれのファスナーテープ部２、ファスナーテープ部２１、ファスナーテープ部２２およびファスナーテープ部２３を縫製して全体がＸ字状に組み合わせている。【００２５】図１０および図１１において、Ｘ字状になって実施例２と同様に、隣接するスライドファスナー１、スライドファスナー１１およびスライドファスナー１２のそれぞれの噛み合い歯３、噛み合い歯３１、噛み合い歯３２および噛み合い歯３３をＸ字状に結合させて衣服の上下着Ｄのような立体状の物品ができる。この場合、一般のスライドファスナー１００を上部の首部に設けてある。
具体的には、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを四個用いてこれらの一条の噛み合い歯をＸ字状に噛み合わせて平面状のシートを立体状とする物品に用いるスライドファスナーであって、一条の噛み合い歯３に摺動自在に設けた噛み合い結合用スライダー６と、噛み合い結合用スライダー６と摺動方向に対向するように一条の噛み合い歯３に摺動自在に設けた噛み合い解除用スライダー７とを四組構成して、スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体がＸ字状に組み合わせて配置させてなる。
【実施例５】
【００２６】図１２において、５個で構成されたスライドファスナー１、スライドファスナー１１、スライドファスナー１２、スライドファスナー１３およびスライドファスナー１４のそれぞれは、実施例１と同じ構成である。【００２７】衣服の上下着Ｅを平面状のシートとしてその周縁にスライドファスナー１、スライドファスナー１１、スライドファスナー１２、スライドファスナー１３およびスライドファスナー１４のそれぞれのファスナーテープ部２、ファスナーテープ部２１、ファスナーテープ部２２、ファスナーテープ部２３およびファスナーテープ部２４を縫製して５個のスライドファスナーを交叉条に組み合わせている。【００２８】図１３および図１４において、実施例２と同様に、隣接するスライドファスナー１、スライドファスナー１１、スライドファスナー１２、スライドファスナー１３およびスライドファスナー１４のそれぞれの噛み合い歯３、噛み合い歯３１、噛み合い歯３２、噛み合い歯３３および噛み合い歯３４を交叉条に結合させて衣服の上下着Ｅのような立体状の物品ができる。
具体的には、平面状のシートの周縁にあって一条の噛み合い歯３を配列したファスナーテープ部２と、ファスナーテープ部２の一端に形成したスライダー挿入金具４と、ファスナーテープ部２の他端に形成したスライダー抜け止め金具５とを備えたスライドファスナーを複数用いてこれらの一条の噛み合い歯を交叉条に噛み合わせて平面状のシートを立体状とする物品に用いるスライドファスナーであって、一条の噛み合い歯３に摺動自在に設けた噛み合い結合用スライダー６と、噛み合い結合用スライダー６と摺動方向に対向するように一条の噛み合い歯３に摺動自在に設けた噛み合い解除用スライダー７とをスライドファスナー相当数の複数組構成して、スライドファスナーに隣接するスライドファスナーの噛み合い結合用スライダーおよび噛み合い解除用スライダーを各々共有するとともに、スライダー挿入金具およびスライダー抜け止め金具をそれぞれ隣接するスライドファスナーのスライダー抜け止め金具およびスライダー挿入金具と並設するように全体が交叉条に組み合わせて配置させてなる。
【実施例６】
【００２９】図１５において、６個で構成されたスライドファスナー１、スライドファスナー１１、スライドファスナー１２、スライドファスナー１３、スライドファスナー１４およびスライドファスナー１５のそれぞれは、実施例１と同じ構成である。【００３０】テーブルのカバーＦを平面状のシートとしてその周縁にスライドファスナー１、スライドファスナー１１、スライドファスナー１２、スライドファスナー１３，スライドファスナー１４およびスライドファスナー１５のファスナーテープ部２、２１、２２、２３、２４、２５を縫製して６個のスライドファスナーを交叉条に組み合わせている。【００３１】図１６および図１７において、実施例２と同様に、隣接するスライドファスナー１、スライドファスナー１１、スライドファスナー１２、スライドファスナー１３、スライドファスナー１４およびスライドファスナー１５のそれぞれの噛み合い歯３、噛み合い歯３１、噛み合い歯３２、噛み合い歯３３、噛み合い歯３４および噛み合い歯３５を交叉条に結合させてテーブルのカバーＦのような立体状の物品ができる。
【実施例７】
【００３２】図１８乃至図２２はテントＧのような立体状の物品を実施例としている。図１８において、図１と同様なスライドファスナー１が山形状（図１９参照）となり、２個で構成されたスライドファスナー１１およびスライドファスナー１２がそれぞれスライドファスナー１と対面し、両スライドファスナー１１、１２に跨る部分にはスライダー８１、８２（図２０参照）が設けられている。さらに、スライドファスナー１１およびスライドファスナー１２は図１と同様なスライドファスナー１３（図２１参照）とで合成した構成である。【００３３】図１９において、山形状のスライドファスナー１はテントＧの屋根シートＧ１の左右の周縁に一対縫製などで設ける。また、図２０において、スライドファスナー１１およびスライドファスナー１２を三角形状で左右の出入り口シートＧ２のそれぞれを設け、その頂上からスライダー８１、８２が両スライドファスナー１１、１２に跨るように設けてある。これを上記屋根シートＧ１と対応させて２つ用意する。さらに、図２１において、一条の噛み合い歯３３が直線状に配列したスライドファスナー１３をテントＧの底シートＧ３の両側面の各周縁に一対、図１と同様に縫製などで設ける。【００３４】図２２において、実施例２と同様に、屋根シートＧ１の一対のスライドファスナー１と２つの出入り口シートＧ２のスライドファスナー１１およびスライドファスナー１２のそれぞれの噛み合い歯３と噛み合い歯３１および噛み合い歯３２を結合させ、このスライドファスナー１１およびスライドファスナー１２のそれぞれの噛み合い歯３１および噛み合い歯３２を底シートＧ３のスライドファスナー１３の噛み合い歯３３に結合させてテントＧのような立体状の物品ができる。
【実施例８】
【００３５】図２３乃至図２５は吊り下げバッグＨのような立体状の物品を実施例としている。吊り下げバッグＨの左右側面Ｈ２となるスライドファスナー１２が図１と同様に設けられている（図２３参照）。また、吊り下げバッグＨの正面Ｈ１となるスライドファスナー１、１１、１３、１３が図４の一つと同様に設けられている（図２４参照）。【００３６】図２５において、実施例２と同様に、吊り下げバッグＨの左右側面Ｈ２の２つのスライドファスナー１２と正面Ｈ１の隣接する一対のスライドファスナー１３のそれぞれの噛み合い歯３２と噛み合い歯３３を結合させ、さらに吊り下げバッグＨのスライドファスナー１とスライドファスナー１１のそれぞれの噛み合い歯３および噛み合い歯３１を結合させて、吊り下げバッグＨのような立体状の物品ができる。
【符号の説明】
【００３７】１、１１、１２、１３、１４、１５  スライドファスナー
２、２１、２２、２３、２４、２５  ファスナーテープ部
３、３１、３２、３３、３４、３５  噛み合い歯
４、４１、４２、４３  スライダー挿入金具
５、５１、５２、５３  スライダー抜け止め金具
６、６１、６２、６３  噛み合い結合用スライダー
７、７１、７２、７３  噛み合い解除用スライダー
【図１】
0003159325.tif 000003
【図２】
0003159325.tif 000004
【図３】
0003159325.tif 000005
【図４】
0003159325.tif 000006
【図５】
0003159325.tif 000007
【図６】
0003159325.tif 000008
【図７】
0003159325.tif 000009
【図８】
0003159325.tif 000010
【図９】
0003159325.tif 000011
【図１０】
0003159325.tif 000012
【図１１】
0003159325.tif 000013
【図１２】
0003159325.tif 000014
【図１３】
0003159325.tif 000015
【図１４】
0003159325.tif 000016
【図１５】
0003159325.tif 000017
【図１６】
0003159325.tif 000018
【図１７】
0003159325.tif 000019
【図１８】
0003159325.tif 000020
【図１９】
0003159325.tif 000021
【図２０】
0003159325.tif 000022
【図２１】
0003159325.tif 000023
【図２２】
0003159325.tif 000024
【図２３】
0003159325.tif 000025
【図２４】
0003159325.tif 000026
【図２５】
0003159325.tif 000027